(57)【要約】【課題】井戸水や貯留水の濁質やＳＳの除去に使用される水処理装置１において、ろ過装置の洗浄時期を使用者が容易に判別できることを目的とする。【解決手段】井戸または貯水槽から水を吸引して吐出するための電動式ポンプ３と、井戸水に含まれる濁質成分を除去するための第一のろ過装置４と、前記第一のろ過装置の後段に連通する第二のろ過装置５と、前記第一のろ過装置の流れの方向を切り替えて内部を洗浄するための洗浄手段と、前記洗浄手段によって洗浄する時期を表示する表示部９と、前記第一のろ過装置と連通する流路の前段および後段に圧力を検知するための圧力検知手段を備え、前記表示部９は、前記圧力検知手段によって検知した圧力差に基づいて洗浄時期を表示する構成にしたことにより、使用者が最適な時期に洗浄操作を行うことができ、安定したろ過性能を得られる。【選択図】図１
2016104462.tif 000002
【特許請求の範囲】
【請求項１】
井戸または貯水槽から水を吸引して吐出するための電動式ポンプと、
井戸水に含まれる濁質成分を除去するための第一のろ過手段と、
前記第一のろ過手段の後段に連通する第二のろ過手段と、
前記第一のろ過手段の流れの方向を切り替えて内部を洗浄するための洗浄手段と、
前記洗浄手段によって洗浄する時期を表示する表示手段と、
前記第一のろ過手段と連通する流路の前段および後段に圧力を検知するための圧力検知手段を備え、
前記表示手段は、前記圧力検知手段によって検知した圧力差に基づく圧力を伝達し洗浄時期を表示することを特徴とする水処理装置。
【請求項２】
表示部は、通水期間中の圧力差の最大値に基づいて表示し、通水後も表示値を保持することを特徴とする請求項１に記載の水処理装置。
【発明の詳細な説明】
【技術分野】
【０００１】
本発明は、井戸水を汲み上げて水質を浄化する水処理装置に関するものである。
【背景技術】
【０００２】
従来、この種の水処理装置は、逆洗機能を自動化されたものが知られている（例えば、特許文献１参照）。
【０００３】
以下、その水処理装置について図３を参照しながら説明する。
【０００４】
図３に示すように、水処理装置１０１はろ過機１０２と開閉弁１０３、圧力スイッチ１０４、制御回路１０５からなり、圧力スイッチ１０４が所定の圧力以下になった場合に開閉弁１０３を自動制御して逆洗を行うものである。このとき、所定時間経過後に開閉弁１０３は再び元の位置に戻り、自動で逆洗が完了するようになっている。
【先行技術文献】
【特許文献】
【０００５】
【特許文献１】特開平２−０６３５１３号公報
【発明の概要】
【発明が解決しようとする課題】
【０００６】
このような従来の水処理装置においては、ろ過装置に堆積した濁質などの汚れ成分によりろ過装置が閉塞し、ろ過装置の損失水頭が上昇することによって、通水量が大きく低下してしまうため、定期的にろ過装置を洗浄し、堆積した汚れをろ過装置の外部に排出することが必要である。
【０００７】
ろ過装置に所定の量の汚れが堆積するまでの時間は、原水の水質によって異なる。これは、立地条件や、あるいは雨の量などの季節的要因の影響を受けるため、例え同じ場所であったとしても、水使用量から同一の汚れ堆積量を判断する事は困難である。
【０００８】
従来例においては、ろ過機の出口側の圧力低下を検出して自動で逆洗を行うように制御されるが、しかしながらろ過機にかかる圧力は通水流量によって異なるため、自動で判別するには様々なケースを想定しきれず、ろ過機が清浄であっても逆洗操作が行われるような誤作動が起こりうる。そのため、使用者が、使用状況に応じて適切に判断する必要があるが、ろ過装置が閉塞する前に洗浄を行う適切な時期を判断する事が困難であるという課題を有していた。
【０００９】
そこで本発明は、上記従来の課題を解決するものであり、水処理装置にろ過装置の前後の圧力差を検知する圧力検知手段を備え、通水中の圧力差に基づいて洗浄時期を表示するための表示部を備えることで、立地条件や季節によらず適切な洗浄時期で洗浄操作を行う事ができる水処理装置を提供することを目的とする。
【課題を解決するための手段】
【００１０】
そして、この目的を達成するために、本発明は、井戸または貯水槽から水を吸引して吐出するための電動式ポンプと、井戸水に含まれる濁質成分を除去するための第一のろ過手段と前記第一のろ過手段の後段に連通する第二のろ過手段と、前記第一のろ過手段の流れの方向を切り替えて内部を洗浄するための洗浄手段と、前記洗浄手段によって洗浄する時期を表示する表示部と、前記第一のろ過手段と連通する流路の前段および後段に圧力を検知するための圧力検知手段を備え、前記表示部は、前記圧力検知手段によって検知した圧力差に基づいて洗浄時期を表示することを特徴としたものであり、これにより所期の目的を達成するものである。
【発明の効果】
【００１１】
本発明によれば、井戸または貯水槽から水を吸引して吐出するための電動式ポンプと、井戸水に含まれる濁質成分を除去するための第一のろ過手段と、前記第一のろ過手段の後段に連通する第二のろ過手段と、前記第一のろ過手段の流れの方向を切り替えて内部を洗浄するための洗浄手段と、前記洗浄手段によって洗浄する時期を表示する表示部と、前記第一のろ過手段と連通する流路の前段および後段に圧力を検知するための圧力検知手段を備え、前記表示部は、前記圧力検知手段によって検知した圧力差に基づく圧力を伝達し洗浄時期を表示する構成にすることにより、使用者が水処理装置を適切な時期に洗浄して、浄化された一定の水質の水を安定した流量で得ることができる。
【００１２】
ろ過装置が極端に閉塞して回復できなくなることを防ぐことによって、水を使用する機器を安定して稼働させることができるという効果を得ることができる。
【図面の簡単な説明】
【００１３】
【図１】本発明の実施の形態１の水処理装置の構成を示す模式図
【図２】同実施の形態１の水処理装置の表示部を示す模式図
【図３】従来の水処理装置を示す模式図
【発明を実施するための形態】
【００１４】
本発明の請求項１記載の水処理装置は、井戸または貯水槽から水を吸引して吐出するための電動式ポンプと、井戸水に含まれる濁質成分を除去するための第一のろ過手段と、前記第一のろ過手段の後段に連通する第二のろ過手段と、前記第一のろ過手段の流れの方向を切り替えて内部を洗浄するための洗浄手段と、前記洗浄手段によって洗浄する時期を表示する表示部と、前記第一のろ過手段と連通する流路の前段および後段に圧力を検知するための圧力検知手段を備え、前記表示部は、前記圧力検知手段によって検知した圧力差に基づく圧力を伝達し洗浄時期を表示するという構成を有する。
【００１５】
原水をろ過装置で浄化する際に、原水中の汚れがろ過装置のろ材に堆積することでろ材の有効面積が減少し、あるいはろ材内部の微細な流路が閉塞して流路断面積が縮小することにより、ろ過装置前後の圧力差が上昇する。この現象を圧力検知手段によって検知し、表示手段がどの程度の圧力差の値になった場合に洗浄をする必要があるのかを表示することにより、ろ過装置に汚れが堆積したことを使用者が確実に判断でき、適切な洗浄が行えるという効果を奏する。
【００１６】
また、表示部は、通水期間中の圧力差の最大値に基づいて表示し、通水後も表示値を保持するという構成にしてもよい。圧力差は、ポンプを運転して圧力を上昇させ、さらに水処理装置の出口側の給水栓を開放した場合に発生するが、給水栓を再び閉止すると圧力差が徐々に消失する。そのため、通水停止後も通水中に検知した圧力差の表示を保持することにより、水を通水させていないときにも、使用者がろ過装置の汚れの堆積を判別せきるという効果を奏する。また、圧力差の最大値としたことにより、汚れの堆積とともに圧力差の最大値が更新されることとなり、圧力差の上昇時期を的確にとらえる事ができるという効果を奏する。
【００１７】
以下、本発明の実施の形態について図面を参照しながら説明する。
【００１８】
（実施の形態１）
図１に示すように、水処理装置１は、井戸または貯水槽に接続された配管２に繋がる電動式ポンプ３と、電動式ポンプ３に接続される第一のろ過手段として、第一のろ過装置４と、第一のろ過装置４に接続される第二のろ過手段として、第二のろ過装置５と、第一のろ過装置４の入水口および出水口と流れ方向を切り替えるためのレバーおよび回転式の弁から構成され、第一のろ過装置４の内部の洗浄を行うための洗浄手段である逆洗バルブ６と、第一のろ過装置４に連通する流路の、第一のろ過装置の直前および直後に設置して、第一のろ過装置４の前後の２カ所の圧力から差圧を求める圧力検知手段である差圧計７およびその受圧部８（８ａ、８ｂ）、差圧計７で求めた差圧から第一のろ過装置４内部の逆洗時期のレベルを表示する表示部９から構成される。
【００１９】
各構成要素の接続は、それぞれを直接接続するか、あるいは配管２を介して行い、いずれか特に限定されないが、各構成要素の配置や操作性を考慮して接続方法を決めることが好ましい。
【００２０】
また、配管２の途中に必要に応じて、バルブや分岐、エルボなどの部材を設置してもよい。用いられる配管２は、電動式ポンプ３の水圧に耐えられる材質、構造であればよいが、耐久性、加工のしやすさから、例えば、塩化ビニル樹脂や鋼管、あるいはこれらの複合材料を用いた直管が使用できる。
【００２１】
尚、呼び径は損失水頭が低くなるよう大きい方が好ましく、例えば１５から５０ミリメートルのもので、厚みは１から５ミリメートル程度のものが好ましい。
【００２２】
電動式ポンプ３は、井戸あるいは貯水槽から地下水を吸い上げ、吐出する電動機で駆動するポンプであって、例えば渦巻きポンプ、ジェットポンプ、カスケードポンプなどの遠心ポンプや、軸流ポンプ、斜流ポンプなどがある。
【００２３】
一般家庭に用いる場合、井戸の深さは、浅井戸であれば１０メートル程度、深井戸であれば２０メートルから３０メートル以上吸い上げる必要があり、後段の配管やろ過装置の損失水頭を考慮すると、２０メートル以上の揚程があるものがよく、渦巻きポンプやジェットポンプなどの遠心ポンプがより好ましい。
【００２４】
また、ポンプは電源スイッチで運転を操作する非自動式ポンプか、圧力タンクおよび圧力スイッチを備えて所定の圧力以下で自動で動作する自動式ポンプがあり、本発明の水処理装置１にはいずれのポンプも使用することできる。
【００２５】
電動式ポンプ３で吐出する流量は、例えば５リットルから５０リットル毎分程度であるが、一般家庭用であれば５リットルから１５リットル毎分程度が得られるような揚程と流量の特性をもつようなものが好ましい。
【００２６】
電動式ポンプ３の直後に接続される第一のろ過装置４は、原水に含まれる粗大粒子や凝集物、砂塵など、１０マイクロメートル以上の比較的大きな濁質成分を除去するためのろ過装置であり、汚れが堆積しやすいため、洗浄して汚れを系外に排出して繰り返し使用できる構成を用いることが好ましい。
【００２７】
構成は、ポンプの水圧に耐えられる圧力容器であるタンク１０と、タンクの中に入れて使用するろ材１１、およびろ材１１に挿入して処理水を第一のろ過装置４外に排出するための導出管１２、そして導出管１２の端部に設置してろ材がタンクから流出しないようにするための粗粒子フィルタ１３、タンク１０上部のタンク入出口１４からなる。
【００２８】
水を浄化処理するときにはろ材１１の上方から通水し、ろ過された浄水を下方から導出管１２によって排出するようにして行う。
【００２９】
タンク１０は、電動式ポンプ３の出口側近くに設置するため、耐圧は電動式ポンプ３の最高出力揚程以上の能力があることが好ましく、素材としては、金属、樹脂、あるいはガラス繊維で強化した樹脂などが好適である。
【００３０】
これらは、水に接するだけでなく、井戸がある屋外に設置して使用する場合があるため、十分な耐水性、耐候性を有することが要求され、材質や肉厚、あるいはコーティングなどの複合素材によって実現することが考えられる。
【００３１】
大きさは、逆洗を考慮してろ材１１の総量の約１．５から２．０倍程度の容積であればよく、例えば１０リットルから１０００リットルなどがよい。タンク１０の形状は、圧力に耐久性が高い円筒型や球型、楕円球型などが好ましいが、設置しやすさを考慮して肉厚などが確保できれば直方体や立方体などの角型容器でもよい。
【００３２】
タンク１０の中に入れるろ材１１は、水処理装置１の性能を発揮するための最も基本となる部材であり、約１０マイクロメートル以上の粗大粒子や凝集物を捕捉して除去し、地下水の濁度および色度を低減することを目的としている。
【００３３】
ろ材１１には、粒子状、繊維状、ビーズ状、メッシュ状、あるいは不織布などを用いる事ができるが、除去性能と洗浄のしやすさ、耐久性の観点から、粒子状であることが好ましい。
【００３４】
ろ材１１の材質は、例えば、砂、アンスラサイト、ガーネット、セラミックス、粒状活性炭、オキシ水酸化鉄、マンガン砂など、水中で沈降し、圧力で変形しにくい硬度をもつものであればよい。粒子径は、例えば０．３ミリメートルから５．０ミリメートル、均等係数１．２から２．０などのものを用いるとよく、ろ過精度を高めるために、より好ましくは粒子径が０．３から０．４ミリメートルである。
【００３５】
また、ろ材１１は材質によって比重が異なり、例えば砂であればおよそ２．５から２．７グラム毎立方センチメートル、アンスラサイトであれば、１．４から１．８グラム毎立方センチメートル、ガーネットであれば３．８から４．１グラム毎立方センチメートルである。複数の種類のろ材を混合して使用する複層ろ過法は、このような比重の違いを利用して、ろ層内にサイズの異なる粒子を小さい粒子から順に下から積層する方法であり、比重が大きくサイズが小さい粒子と、比重が小さくサイズが大きい粒子を混合して多層構造にするのが一般的である。単一の種類のろ材を用いるのに比べて、単位体積あたりのろ過効率が高く、一方で損失水頭が低く抑えられるなどのメリットがあるため好ましい。ろ材としては、例えば、ガーネットの０．３ミリメートルと、砂の０．６ミリメートル、アンスラサイトの１．０ミリメートルのものを、２：１：１で混合して使用するが、濁質の粒子特性に応じて混合比率や粒子径を調整することが望ましい。
【００３６】
ろ材１１の充填量はろ過性能と耐久性、損失水頭などを考慮して決定することが好ましい。ろ材１１を増やすと、除去性能や濁質の保持量が増加し、洗浄までの間隔を延ばす事ができて洗浄頻度を減らす事ができる。一方、損失水頭が上昇するため、流量が減少するなどの不具合が生じる場合がある。
【００３７】
ろ材１１に挿入する導出管１２は、処理した水をろ材１１の下方から排出するためのものであり、水頭損失が少なく、閉塞しにくいような管であればよく、例えば直径が３０ミリメートル以上の直管などが使用できる。材質は腐食しにくいようなものがよく、例えば樹脂、金属などが好ましい。
【００３８】
導出管１２の端部には、ろ材１１の粒子や、堆積した汚れが下流側に漏れださないように粗粒子フィルタ１３を設ける。これには、メッシュ状、スリット状などの形状で、０．３から１ミリメートルの細孔か隙間を持つものが使用できる。材質は、導出管１２と同様に腐食しにくいステンレスなどの金属や樹脂が好適である。
【００３９】
また、メンテナンスがしやすいよう着脱可能な構造とするとよい。第一のろ過装置４で浄化された水は、導出管１２の管内を通り、タンク１０の端部のタンク入出口１４から排出される。タンク入出口１４は、タンク１０内部のメンテナンスが行いやすく、密閉性が保たれるために、着脱可能であるとよく、構造は、例えばねじ式などで、Ｏリングやゴムなどのパッキンで水密性を保つようにすることが好ましい。
【００４０】
第一のろ過装置４の後段には、通過してきた数マイクロメートル以下の微細な粒子を除去するための第二のろ過装置５を設けることで、水処理装置１の浄化性能をさらに高める事ができる。構成としては、精密ろ材１５とケーシング１６、入出口１７からなる。
【００４１】
精密ろ材１５は、容易に交換できる素材か、あるいは手洗いなどで洗浄できる素材が好ましい。交換できるろ材としては、例えばポリプロピレンやポリエステルなどの樹脂繊維からなるメッシュを折り畳んだプリーツフィルタや、繊維を束ねて１ミリメートル程度の太い糸にしたものを巻き上げた糸巻きフィルタなどが好ましく、大きさは長さ１０インチから２０インチの円筒型のものが比較的安価でよい。
【００４２】
これらのフィルタは、円筒型の外側から内側に向かってろ過を行い、フィルタの外側に濁質が付着して水質の浄化を行うものである。
【００４３】
一方、洗浄できる素材としては、例えば樹脂や綿等の素材の繊維を編み込んだネット状、メッシュ状のものか、あるいは不織布状にしたもので、直径５から１０センチメートル、長さ２０から６０センチメートル程度の円筒の袋状に縫製したものを用いるとよく、内側から外側に向かってろ過を行うことで濁質を袋の内側に捕捉して水質を浄化するものである。
【００４４】
除粒子性能は、いずれも０．５から１０マイクロメートル程度のものが好ましく、小さいほど細菌や原虫などの微生物を除去することができるようになるが、閉塞するまでの使用期間が極端に短くなるため、使用目的や水質によって除粒子性能や大きさを選定する事が好ましい。
【００４５】
精密ろ材１５を入れるための圧力容器としてケーシング１６を用いる。ケーシング１６は、中に入れる精密ろ材１５の外径よりやや大きい内径をもち、電動式ポンプ３の圧力に耐えられるような圧力容器とする。材質は、第一のろ過装置４と同様に、電動式ポンプ３の最大圧力以上の耐圧性能であればよく、材質は金属、樹脂、あるいはガラス繊維を混合した樹脂などが好ましい。
【００４６】
尚、ケーシング１６は、精密ろ材１５を容易に交換できるように、一部分を分離、あるいは着脱可能とすることが好ましく、精密ろ材１５とケーシング１６を一体化させたカートリッジ様の形態としてケーシング１６ごと交換できるようにしてもよい。
【００４７】
さらに、ケーシング１６には、水を通水し、処理水を排出するための入出口１７を設ける。入り口と出口をケーシング１６上の離れた距離に別々に設けてもよいが、一体化、あるいは近接して配置すると、ケーシング１６の取り外し易さが向上するため好ましい。
【００４８】
尚、電動式ポンプ３および第一のろ過装置４、第二のろ過装置５の接続は、直接、または配管を介して行うが、第一のろ過装置、および第二のろ過装置のろ過性能、通水量が設計通りに動作するよう、可能な限り近接して配置することがよく、配管を間に介して接続する場合にも、例えば配管長さを１メートル以下とするなど、短くする事が好ましい。
【００４９】
第一のろ過装置４は、タンク入出口１４から水の取り入れ、排出を行うが、ここにタンク１０内の流れ方向を逆転させて、ろ材１１に付着した堆積物を洗浄し排出するために、流れ方向を制御して洗浄を行う洗浄手段として逆洗バルブ６を設ける。これは、複数の流路を同時に切り替えるためのもので、切り替えは電動式、手動式などいずれも使用できるが、手動式のものを用いると構成が少なくて済み、小型化できるため好ましい。
【００５０】
この場合、タンク１０外部に適切な長さのレバーを設け、例えば回転によってバルブの流路を切り替えられるようにすると、取り扱いを容易にする事ができる。逆洗バルブ６は、少なくとも２系統を同時に切り替える構成とする。
【００５１】
通常のろ過運転時には、１つは水の入り口側である電動式ポンプ３の配管からろ材１１側の流路と、もう１つはろ過水を排出する導出管１２から第二のろ過装置５へと接続する配管への流路とする。水はポンプからろ材１１を通過して導出管１２よりタンク１０外に排出される流れとなる。
【００５２】
一方、ろ材１１を洗浄する運転時には、１つは水の入り口側である電動式ポンプ３の配管から導出管１２への流路と、もう１つはろ材１１側から排水するための排水管１８へと繋がる流路とする。このとき、導出管１２から流入した水は、ろ材１１の下方から粒子を巻き上げながら逆方向になる流れとなり、堆積した汚れを伴った水が排水管１８から排出され、ろ材１１を洗浄することができる。
【００５３】
尚、洗浄を十分に実施するのに必要な通水量は、堆積する汚れの量や、洗浄水の圧力、流量によって異なるが、例えば排出される排水の汚れの色などから判断することができる。このとき、汚れがなくなってくると、排水の色が流入する水の色と同等レベルにまで薄くなることなどから判定することができる。
【００５４】
第一のろ過装置４内に汚れが堆積し、詰まってきたことを検知するために、第一のろ過装置４と連通する流路の前後に、ろ過装置の差圧を検知するための圧力検知手段である差圧計７を設ける。
【００５５】
差圧計７は、配管内の瞬時圧力を検知できるもので、例えばブルドン管式や隔膜式、ベローズ式などの機械式や、液柱式、電磁式、熱伝導式などがあるが、耐久性の観点から構造が単純なブルドン管式などの機械式のものが好ましい。
【００５６】
配管に取り付ける２つの受圧部８（受圧部（入り口）８ａおよび受圧部（出口）８ｂ）には、配管内に露出する接液部があり、ここにかかる圧力が、水やオイルなどの非圧縮性の液体を充填した細管を通じて差圧計７のブルドン管に伝達される。このとき、ろ過装置の出口側の圧力を基準圧とすることにより、入り口側の圧力上昇を正圧として検知することができる。
【００５７】
差圧計７で検知した圧力は、さらに表示部９に伝達され、圧力の大きさを指針の回転運動や平行移動など、視認しやすい状態に変換し、圧力の上昇からろ過装置の詰まりを認識できるように表示を行う。尚、電気制御を用いると、構成が複雑になって大型化するばかりか、水を使用する多湿環境のため接点や配線の厳重な保護や、定期的な保守が必要になってしまうため、安定して動作させることは容易ではない。
【００５８】
表示内容は、ろ過装置を洗浄する時期であるかどうかを判断できる内容とする必要がある。表示は、例えば可動式の指針か、あるいは指針の指す非指示部を可動させ、指針の指し示す部分の色、文字、図形によって使用者が洗浄時期を認識できるようにするとよい。
【００５９】
図２に一例を示す。表示部９には、「直ちに」「２から３日以内」「１週間以内」「詰まりなし」などのように、実際に使用者がいつ洗浄操作を行えばよいかを直接判断できるような表示内容とすることが正しい運転操作に繋がるため好ましい。
【００６０】
尚、洗浄を行う圧力上昇の閾値は、ポンプの能力や、後段の配管の損失水頭などから、通水できる圧力範囲をあらかじめ確認し、設定しておく。例えば、浅井戸用、深井戸用いずれのポンプでも、損失水頭が１０メートル以上上昇すると流量の減少が著しく、浅井戸用の場合には水が出なくなる恐れがあるため、１０メートルに相当する圧力差として０．１ＭＰａ以上に上昇した場合に洗浄するよう、表示部９の指針が０．１ＭＰａ以上となる位置を「直ちに」と設定することが好ましい。
【００６１】
更に、第一のろ過装置４は深層ろ過による閉塞モデルが一般的に考えられるため、汚れの堆積量に応じて急激に圧力が上昇するというよりも、線形的に圧力が上昇する特性がある。そのため、例えば０．１ＭＰａに近い０．０８ＭＰａ以上０．１ＭＰａ以下を「２から３日以内」、０．０５ＭＰａ以上０．０８ＭＰａ以下を「１週間以内」、それ以下を「詰まりなし」などと設定するとよい。このとき、設置場所ごとに個別に微調整できるような表示部９の調整機構を備えることが好ましい。
【００６２】
このように、制御装置を用いず、洗浄が必要な時期を設定できることも本願の特徴である。
【００６３】
表示部９で示される表示内容は、運転中の最大圧力に基づいたものとすることで、ろ材１１の圧力上昇を逃さず検知できるようになる。また、最大圧力は、運転中の瞬時圧力であるため、運転終了後や、流量を絞って圧力を低下させたときにも、ろ材１１の圧力が上昇する状態であることを判別できるよう、表示内容を保持するような構造とする。例えば、表示部９に設けた指針が圧力低下時に自動で戻らないように抵抗をもたせた構造とし、圧力上昇時のみ指針に圧力が伝達されるような構造とする事が好ましい。
【００６４】
以上、水処理装置にろ過装置の前後の圧力差を検知する圧力検知手段と、通水中の圧力差に基づいて洗浄時期を表示するための表示部を備えることで、立地条件や季節によらず適切な洗浄時期で洗浄操作を行える水処理装置を提供することができる。
【産業上の利用可能性】
【００６５】
本発明にかかる水処理装置１は、第一のろ過装置４を洗浄する時期を使用者が適切に判断することを可能とするものであるので、井戸水や貯留水の浄化に使用される家庭用水処理装置として有用である。
【符号の説明】
【００６６】
１  水処理装置
２  配管
３  電動式ポンプ
４  第一のろ過装置
５  第二のろ過装置
６  逆洗バルブ
７  差圧計
８ａ  受圧部（入り口）
８ｂ  受圧部（出口）
９  表示部
１０  タンク
１１  ろ材
１２  導出管
１３  粗粒子フィルタ
１４  タンク入出口
１５  精密ろ材
１６  ケーシング
１７  入出口
１８  排水管
【図１】
2016104462.tif 000003
【図２】
2016104462.tif 000004
【図３】
2016104462.tif 000005